(57)【要約】【課題】  光ピックアップ装置に組み込まれる対物レンズ駆動装置に関する。【解決手段】  対物レンズを挟んでレンズホルダー５の側面側に対物レンズの光軸方向の巻回軸を有するように中空状に巻回され、且つトラッキング方向に並設された第１及び第２のフォーカスコイル９ａ、９ｂと対を成す第３及び第４のフォーカスコイル９ｃ、９ｄを設け、前記第１、第２、第３及び第４フォーカスコイルの中空位置に配置された第１、第２、第３及び第４マグネット１１、１２、１３、１４に加え、前記第１及び第２フォーカスコイルに作用する磁束を発生させるべく前記第１及び第２フォーカスコイルの外側に配置された第５マグネット１６と前記第３及び第４フォーカスコイルに作用する磁束を発生させるべく前記第３及び第４フォーカスコイルの外側に配置された第６マグネット１７を設ける。【選択図】  図１
2008217888.tif 000002
【特許請求の範囲】
【請求項１】
対物レンズが固定されているとともに複数の支持ワイヤーによって光ディスクの径方向であるトラッキング方向及び光ディスクの信号面に対して直角方向であるフォーカス方向への変位を可能に支持され、且つハウジング等に固定されているマグネットから生成される磁束との協働によってトラッキング方向及びフォーカス方向への駆動力を生成するトラッキングコイル及びフォーカスコイルが搭載されたレンズホルダーを備えた対物レンズ駆動装置であり、前記トラッキングコイルは前記対物レンズを挟んで前記レンズホルダーの側面に固装された第１及び第２のトラッキングコイルにて構成され、前記フォーカスコイルは前記対物レンズを挟んで前記レンズホルダーの側面側に対物レンズの光軸方向の巻回軸を有するように中空状に巻回され、且つトラッキング方向に並設された第１及び第２のフォーカスコイルと対を成す第３及び第４のフォーカスコイルとより構成され、前記マグネットは前記第１、第２、第３及び第４フォーカスコイルの中空位置に配置された第１、第２、第３及び第４マグネットに加え、前記第１及び第２フォーカスコイルに作用する磁束を発生させるべく前記第１及び第２フォーカスコイルの外側に配置された第５マグネットと前記第３及び第４フォーカスコイルに作用する磁束を発生させるべく前記第３及び第４フォーカスコイルの外側に配置された第６マグネットとより構成されていることを特徴とする対物レンズ駆動装置。
【請求項２】
トラッキングコイル、フォーカスコイル及びマグネットを対物レンズの光軸中心と光ディスクの回転中心軸とを結ぶ直線に対して線対称となるように配置したことを特徴とする請求項１に記載の対物レンズ駆動装置。
【請求項３】
異なる波長のレーザー光を異なる規格の光ディスクに設けられている信号記録層に集光させる第１対物レンズ及び第２対物レンズがレンズホルダーに組み込まれていることを特徴とする請求項１に記載の対物レンズ駆動装置。
【請求項４】
第１対物レンズ及び第２対物レンズが光ディスクの径方向に配置されていることを特徴とする請求項３に記載の対物レンズ駆動装置。
【請求項５】
フォーカスコイルに供給されるフォーカス駆動電流にラジアルチルト信号を重畳させて供給することによってラジアル方向のチルト調整を行うことが出来るようにしたことを特徴とする請求項１に記載の対物レンズ駆動装置。
【請求項６】
トラッキングコイルにトラッキング駆動電流を供給する一対のトラッキング用ワイヤー、フォーカスコイルにフォーカス駆動電流を供給する一対のフォーカス用ワイヤー及び該フォーカスコイルに重畳するラジアルチルト信号を供給する一対のチルト調整用ワイヤーにてレンズホルダーを変位可能に支持するようにしたことを特徴とする請求項５に記載の対物レンズ駆動装置。
【発明の詳細な説明】
【技術分野】
【０００１】
本発明は、光ディスクに記録されている信号の読み出し動作や光ディスクに信号の記録動作を行う光ピックアップ装置に組み込まれる対物レンズ駆動装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００５】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ  ＤＶＤ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
前述したように規格の異なる光ディスクが提案されており、全ての光ディスクを使用することが出来る光ディスク装置が製品化されている。その結果、斯かる光ディスク装置に組み込まれる光ピックアップ装置も異なる規格の光ディスクに対応したものが要求されることになる。斯かる要求に応じるための光ピックアップ装置が開発されている。(特許文献１、２参照。)
また、光ピックアップ装置は、周知のように光学部品が組み込まれているハウジング、対物レンズが固定されているとともに支持ワイヤーによって光ディスクの信号面に対して垂直方向、即ちフォーカス方向及び光ディスクの径方向、即ちトラッキング方向への変位を可能に支持され、且つフォーカスコイルやトラッキングコイルが取付けられているレンズホルダー、そして前記各コイルに作用する磁束を発生するとともにハウジング等に固定されているマグネットとを備えている。(特許文献３参照。)
【特許文献１】特開２００５−１８２９４１号公報
【特許文献２】特開２００４−２５９４１４号公報
【特許文献３】特開２００２−２４５６４７号公報
【発明の開示】
【発明が解決しようとする課題】
【０００９】
対物レンズ駆動部を構成する対物レンズ用支持基板に対して、対物レンズが固定されるレンズホルダーは支持ワイヤーによってフォーカス方向及びトラッキング方向への変位を可能に支持固定されるが、斯かるレンズホルダーにはフォーカスコイル及びトラッキングコイルが取付けられている。そして、斯かるフォーカスコイル及びトラッキングコイルは、対物レンズを挟んで対称になるようにレンズホルダーの側面に固定されている。
【００１０】
フォーカスコイル及びトラッキングコイルが対物レンズを挟んで対称に設けられると、これらのコイルに対して作用する磁束を発生するマグネットも対物レンズを挟んで対称に設けられることになる。
【００１１】
特許文献３に記載されているフォーカスコイルはトラッキングコイルと同様にレンズホルダーの側壁に扁平状のコイル形状にて固装されている。斯かる構成では、フォーカスコイルの巻回数を多くすることが出来ないだけでなく巻回の径も大きく出来ないので大きな駆動力を得ることが出来ないという問題がある。
【００１２】
斯かる問題を解決するためにはフォーカスコイルに供給されるフォーカス駆動電流値を大きくすることが考えられるが、このようにすると発熱量が大きくなるので、光ピックアップ装置の特性に悪影響を与えるという問題が発生する。
【００１３】
また、フォーカスコイルに駆動電流を供給することによってレンズホルダーが光ディスクの信号面に対して直角方向に変位せしめられてフォーカス制御動作は行われるが、駆動力を大きくすると共振と呼ばれる不要な振動が発生するという問題がある。
【００１４】
本発明は、斯かる問題を解決することが出来る対物レンズ駆動装置を提供しようとするものである。
【課題を解決するための手段】
【００１５】
本発明は、対物レンズが固定されているとともに複数の支持ワイヤーによって光ディスクの径方向であるトラッキング方向及び光ディスクの信号面に対して直角方向であるフォーカス方向への変位を可能に支持され、且つハウジング等に固定されているマグネットから生成される磁束との協働によってトラッキング方向及びフォーカス方向への駆動力を生成するトラッキングコイル及びフォーカスコイルが搭載されたレンズホルダーを備え、前記トラッキングコイルは前記対物レンズを挟んで前記レンズホルダーの側面に固装された第１及び第２のトラッキングコイルにて構成され、前記フォーカスコイルは前記対物レンズを挟んで前記レンズホルダーの側面側に対物レンズの光軸方向の巻回軸を有するように中空状に巻回され、且つトラッキング方向に並設された第１及び第２のフォーカスコイルと対を成す第３及び第４のフォーカスコイルとより構成され、前記マグネットは前記第１、第２、第３及び第４フォーカスコイルの中空位置に配置された第１、第２、第３及び第４マグネットに加え、前記第１及び第２フォーカスコイルに作用する磁束を発生させるべく前記第１及び第２フォーカスコイルの外側に配置された第５マグネットと前記第３及び第４フォーカスコイルに作用する磁束を発生させるべく前記第３及び第４フォーカスコイルの外側に配置された第６マグネットとより構成されている。
【００１６】
また、本発明は、トラッキングコイル、フォーカスコイル及びマグネットを対物レンズの光軸中心と光ディスクの回転中心軸とを結ぶ直線に対して線対称となるように配置したことを特徴とするものである。
【００１７】
そして、本発明は、異なる波長のレーザー光を異なる規格の光ディスクに設けられている信号記録層に集光させる第１対物レンズ及び第２対物レンズがレンズホルダーに組み込まれていることを特徴とするものである。
【００１８】
更に、本発明は、第１対物レンズ及び第２対物レンズが光ディスクの径方向に配置されていることを特徴とするものである。
【００１９】
また、本発明は、フォーカスコイルに供給されるフォーカス駆動電流にラジアルチルト信号を重畳させて供給することによってラジアル方向のチルト調整を行うことが出来るようにしたことを特徴とするものである。
【００２０】
そして、本発明は、トラッキングコイルにトラッキング駆動電流を供給する一対のトラッキング用ワイヤー、フォーカスコイルにフォーカス駆動電流を供給する一対のフォーカス用ワイヤー及び該フォーカスコイルに重畳するラジアルチルト信号を供給する一対のチルト調整用ワイヤーにてレンズホルダーを変位可能に支持するようにしたことを特徴とするものである。
【発明の効果】
【００２１】
本発明は、対物レンズを挟んでレンズホルダーの側面側に対物レンズの光軸方向の巻回軸を有するように中空状に巻回され、且つトラッキング方向に並設された第１及び第２のフォーカスコイルと対を成す第３及び第４のフォーカスコイルを設け、前記第１、第２、第３及び第４フォーカスコイルの中空位置に配置された第１、第２、第３及び第４マグネットに加え、前記第１及び第２フォーカスコイルに作用する磁束を発生させるべく前記第１及び第２フォーカスコイルの外側に配置された第５マグネットと前記第３及び第４フォーカスコイルに作用する磁束を発生させるべく前記第３及び第４フォーカスコイルの外側に配置された第６マグネットとを設けたので、フォーカス動作のための駆動力を大きくすることが出来るだけでなく、レンズホルダーの共振動作を防止することが出来る。
【００２２】
また、本発明は、トラッキングコイル、フォーカスコイル及びマグネットを対物レンズの光軸中心と光ディスクの回転中心軸とを結ぶ直線に対して線対称となるように配置したので、レンズホルダーのフォーカス方向への変位動作及びトラッキング方向への変位動作をバランス良く行うことが出来る。
【実施例】
【００２３】
図１は本発明の対物レンズ駆動装置を示す要部の斜視図、図２は本発明の対物レンズ駆動装置を示す要部の平面図である。
【００２４】
図において、１はハウジング(図示せず)に固定されている印刷配線基板であり、光ディスク装置から供給されるフォーカス駆動電流、トラッキング駆動電流及びラジアルチルト信号を供給するパターンが配線されている。２ａ及び２ｂはトラッキング駆動電流を後述するトラッキングコイルに供給する一対のトラッキング用ワイヤー、３ａ及び３ｂはフォーカス駆動電流を後述するフォーカスコイルに供給する一対のフォーカス用ワイヤー、４ａ及び４ｂはラジアルチルト信号を前記フォーカスコイルに供給する一対のチルト調整用ワイヤーであり、各々一端が前記印刷配線基板１に半田付けにて固着されている。
【００２５】
５は前記トラッキング用ワイヤー２ａ、２ｂ、フォーカス用ワイヤー３ａ、３ｂ及びチルト調整用ワイヤー４ａ、４ｂによってフォーカス方向への変位動作、トラッキング方向への変位動作及びラジアルチルト方向への変位動作を可能に支持されているレンズホルダーであり、Ｂｌｕ−ｒａｙ規格の光ディスクに使用される青紫色のレーザー光の集光動作
を行う第１対物レンズ６及びＣＤ規格及びＤＶＤ規格の光ディスクに使用される赤外光及び赤色のレーザー光の集光動作を行う第２対物レンズ７が固定されている。
【００２６】
前記第１対物レンズ６及び第２対物レンズ７は、その光軸中心を結ぶ直線Ａ(図２に示す)が光ディスクの径方向、即ちラジアル方向と一致するように配置固定されている。前記第１対物レンズ６に入射されるレーザー光を放射するレーザーダイオードや該レーザー光を該第１対物レンズに導く光学部品及び前記第２対物レンズ７に入射されるレーザー光を放射するレーザーダイオードや該レーザー光を該第２対物レンズに導く光学部品等は、図示しないハウジングに設けられており、矢印Ｂ方向からレンズホルダー５のラジアル方向の側面からレーザー光が入射されるように構成されている。
【００２７】
そして、このようにして入射されるレーザー光は、前記第１対物レンズ６及び第２対物レンズ７の下方に設けられている立ち上げミラーと呼ばれる反射ミラーによって反射された後、下方から各対物レンズ６，７に入射されるように構成されている。斯かる構成は周知であるので、その説明は省略した。
【００２８】
８ａ及び８ｂは前記レンズホルダー５のトラッキング方向と直交する方向の各側面に接着固定されている第１及び第２のトラッキングコイルであり、信号トラックの接線方向(タンジェンシャル方向)に巻回軸を有するように扁平状に形成されている。
【００２９】
９ａ及び９ｂは前記レンズホルダー５のトラッキング方向と直交する方向の側面、即ち前記第１トラッキングコイル８ａが配置されている側に設けられている支持片５ａ及び５ｂに接着固定されている第１及び第２のフォーカスコイルであり、トラッキング方向に並設されて設けられているとともに対物レンズ６，７の光軸方向の巻回軸を有するように中空状に巻回されている。
【００３０】
９ｃ及び９ｄは前記レンズホルダー５のトラッキング方向と直交する方向の側面、即ち前記第２トラッキングコイル８ｂが配置されている側に設けられている支持片５ｃに接着固定されている第３及び第４のフォーカスコイルであり、トラッキング方向に並設されて設けられているとともに対物レンズ６，７の光軸方向の巻回軸を有するように中空状に巻回されている。
【００３１】
前述したように第１及び第２トラッキングコイル８ａ及び８ｂはレンズホルダー５の側面に固定されているが、斯かるコイルへのトラッキング駆動電流は前記トラッキング用ワイヤー２ａ、２ｂを通して供給されるように電気的に接続されている。また、同様に第１、第２、第３及び第４フォーカスコイル９ａ、９ｂ、９ｃ及び９ｄはレンズホルダーの側面側に固定されているが、斯かるコイルへのフォーカス駆動電流は前記フォーカス用ワイヤー３ａ及び３ｂを通して供給されるように電気的に接続されている。そして、前記第１、第２、第３及び第４フォーカスコイル９ａ、９ｂ、９ｃ及び９ｄは、前記チルト調整用ワイヤー４ａ及び４ｂに電気的に接続されており、該チルト調整用ワイヤー４ａ及び４ｂを介してラジアルチルト信号が供給されるように構成されている。
【００３２】
１０はハウジングに固定されている第１ヨークであり、第１マグネット１１が接着固定される第１取付片１０ａ、第２マグネット１２が接着固定される第２取付片１０ｂが形成されている。１３はハウジングに固定されているとともに前記第１ヨークとレンズホルダー５に対して反対側に設けられている第２ヨークであり、第３マグネット１４が接着固定される第１取付片１３ａ、第４マグネット１５が接着固定される第２取付片１３ｂが形成されている。
【００３３】
斯かる構成において、前記第１マグネット１１及び第２マグネット１２は、第１ヨーク
１０の第１取付片１０ａ及び第２取付片１０ｂと共に前記第１フォーカスコイル９ａに設けられている中空部及び第２フォーカスコイル９ｂに設けられている中空部内に挿入配置されるように構成されている。また、前記第３マグネット１４及び第４マグネット１５は、第２ヨーク１３の第１取付片１３ａ及び第２取付片１３ｂと共に前記第３フォーカスコイル９ｃに設けられている中空部及び第４フォーカスコイル９ｄに設けられている中空部内に挿入配置されるように構成されている。
【００３４】
１６は前記第１ヨーク１０に形成されている第３取付片１０ｃに接着固定されている第５マグネットであり、図示したように並設されている第１フォーカスコイル９ａ及び第２フォーカスコイル９ｂの連接部がマグネットの中心と一致するように外側に配置されている。１７は前記第２ヨーク１３に形成されている第３取付片１３ｃに接着固定されている第６マグネットであり、図示したように並設されている第３フォーカスコイル９ｃ及び第４フォーカスコイル９ｄの連接部がマグネットの中心と一致するように外側に配置されている。
【００３５】
前述したように本発明に係る対物レンズ駆動装置は構成されているが、レンズホルダー５の第１トラッキングコイル８ａが設けられている側に配置されている第１フォーカスコイル９ａ、第２フォーカスコイル９ｂ、第１マグネット１１、第２マグネット１２、第５マグネット１６及び第１ヨーク１０は、レンズホルダー５の反対側、即ち第２トラッキングコイル８ｂが設けられている側に配置されている第３フォーカスコイル９ｃ、第４フォーカスコイル９ｄ、第３マグネット１４、第４マグネット１５、第６マグネット１７及び第２ヨーク１３と第１対物レンズ６と第２対物レンズ７の光軸を結ぶ直線Ａに対して線対称となるように配置されている。
【００３６】
また、本実施例において、第１マグネット１１、第２マグネット１２、第３マグネット１４、第４マグネット１５、第５マグネット１６及び第６マグネット１７の着磁方向は図示したとおりである。
【００３７】
斯かる構成において、第１マグネット１１及び第２マグネット１２から発生する磁束は、第１トラッキングコイル８ａ、第１フォーカスコイル９ａ及び第２フォーカスコイル９ｂに対して作用するように構成されている。また、第３マグネット１４及び第４マグネット１５から発生する磁束は、第２トラッキングコイル８ｂ、第３フォーカスコイル９ｃ及び第４フォーカスコイル９ｄに対して作用するように構成されている。
【００３８】
従って、第１トラッキングコイル８ａ及び第２トラッキングコイル８ｂの巻回方向を同一方向の変位力が働くよう設定すればトラッキング駆動電流をトラッキング用ワイヤー２ａ、２ｂを通して供給することによってレンズホルダー５をトラッキング方向に変位させることが出来るので、光ピックアップ装置におけるトラッキング制御動作を行うことが出来る。
【００３９】
また、第１フォーカスコイル９ａ、第２フォーカスコイル９ｂ、第３フォーカスコイル９ｃ及び第１フォーカスコイル９ｄの巻回方向を同一方向の変位力が働くよう設定すればフォーカス駆動電流をフォーカス用ワイヤー３ａ、３ｂを通して供給することによってレンズホルダー５をフォーカス方向に変位させることが出来るので、光ピックアップ装置におけるフォーカス制御動作を行うことが出来る。
【００４０】
更に、前記第１フォーカスコイル９ａ、第２フォーカスコイル９ｂ、第３フォーカスコイル９ｃ及び第１フォーカスコイル９ｄに対してチルト調整用ワイヤー４ａ及び４ｂを通してラジアルチルト信号を供給し、各フォーカスコイルから発生する変位力を増減させることによってレンズホルダー５をラジアル方向に傾ける動作、即ちラジアルチルト調整動
作を行うことが出来る。
【００４１】
以上に説明したようにトラッキング制御動作、フォーカス制御動作及びラジアルチルト制御動作は行われるが、本発明においては第５マグネット１６から生成される磁束が第１フォーカスコイル９ａ及び第２フォーカスコイル９ｂに作用するように、また第６マグネット１７から生成される磁束が第３フォーカスコイル９ｃ及び第４フォーカスコイル９ｄに作用するように構成されている。
【００４２】
斯かる構成によれば、第５マグネット１６及び第６マグネット１７から生成される磁束によってレンズホルダー５をフォーカス方向へ変位させるための力が増大されるとともにレンズホルダー５の変位動作に対して制動力として作用させることが出来るので、不要振動を抑える動作、即ち共振を防止するための動作を行うことが出来る。
【００４３】
尚、本実施例では、レンズホルダー５に第１対物レンズ６及び第２対物レンズ７の２つの対物レンズを配置固定した場合について説明したが、１つの対物レンズが配置固定されたレンズホルダーに実施することは勿論可能である。また、レンズホルダー５を６本の支持ワイヤーにて支持するように構成したが、チルト調整が不要な場合には４本の支持ワイヤーにて支持するように構成することはできる。
【図面の簡単な説明】
【００４４】
【図１】本発明の対物レンズ駆動装置を示す要部の斜視図である。
【図２】本発明の対物レンズ駆動装置を示す要部の平面図である。
【符号の説明】
【００４５】
１      印刷配線基板
５      レンズホルダー
６      第１対物レンズ
７      第２対物レンズ
８ａ    第１トラッキングコイル
８ｂ    第２トラッキングコイル
９ａ    第１フォーカスコイル
９ｂ    第２フォーカスコイル
９ｃ    第３フォーカスコイル
９ｄ    第４フォーカスコイル
１１    第１マグネット
１２    第２マグネット
１４    第３マグネット
１５    第４マグネット
１６    第５マグネット
１７    第６マグネット
【図１】
2008217888.tif 000003
【図２】
2008217888.tif 000004